(57)【要約】【課題】文字板への光漏れを抑制することができる車両表示装置用指針を提供する。【解決手段】車両表示装置用指針１は、貫通孔を有する文字板１０３に対して文字板の前面側に配置されており、文字板に沿って延在する指針本体３１と、貫通孔に向けて突出した軸部と、指針本体と軸部とをつなぐ導光部３３と、を有する透光性の指針３と、指針本体の基端部３１ｄおよび導光部を前面側および側方から覆う遮光性の第一遮蔽部材４と、指針本体の基端部および導光部を背面側から覆い、第一遮蔽部材と係合する遮光性の第二遮蔽部材５と、を備え、指針本体は、文字板の背面側に配置された光源から照射されて軸部に入射した光によって発光し、第二遮蔽部材は、軸部の軸方向に沿って前面側に向けて突出しており、かつ第一遮蔽部材と指針本体の側面との隙間Ｇ１，Ｇ２を塞ぐ突起部５６，５７を有する。【選択図】図１４
2020012728.tif 000002
【特許請求の範囲】
【請求項１】
貫通孔を有する文字板に対して前記文字板の前面側に配置されており、前記文字板に沿って延在する指針本体と、前記貫通孔に向けて突出した軸部と、前記指針本体と前記軸部とをつなぐ導光部と、を有する透光性の指針と、
前記指針本体の基端部および前記導光部を前面側および側方から覆う遮光性の第一遮蔽部材と、
前記指針本体の基端部および前記導光部を背面側から覆い、前記第一遮蔽部材と係合する遮光性の第二遮蔽部材と、
を備え、
前記指針本体は、前記文字板の背面側に配置された光源から照射されて前記軸部に入射した光によって発光し、
前記第二遮蔽部材は、前記軸部の軸方向に沿って前面側に向けて突出しており、かつ前記第一遮蔽部材と前記指針本体の側面との隙間を塞ぐ突起部を有する
ことを特徴とする車両表示装置用指針。
【請求項２】
前記指針本体の延在方向と直交する断面における前記指針本体の断面形状は、前記軸方向に沿って背面側へ向かうに従って板厚が薄くなるテーパ形状である
請求項１に記載の車両表示装置用指針。
【請求項３】
前記指針本体の側面は、前記軸方向に対して傾斜した傾斜面であり、
前記突起部は、前記指針本体の側面と対向する対向面を有し、
前記対向面は、前記指針本体の側面の傾斜方向と同じ側に向けて前記軸方向に対して傾斜している
請求項２に記載の車両表示装置用指針。
【請求項４】
前記第一遮蔽部材は、前記指針本体の側面と対向する壁面である一対の対向壁面を有し、
前記対向壁面は、前記軸方向に沿って背面側へ向かうに従って一対の前記対向壁面の間隔が広がるように前記軸方向に対して傾斜しており、
前記突起部は、前記対向壁面と前記指針本体の側面との隙間を塞ぐ
請求項１から３の何れか１項に記載の車両表示装置用指針。
【請求項５】
前記突起部において、前記指針本体の側面と対向する側とは反対側の面は、前記対向壁面の傾斜方向と同じ側に向けて前記軸方向に対して傾斜している
請求項４に記載の車両表示装置用指針。
【発明の詳細な説明】
【技術分野】
【０００１】
本発明は、車両表示装置用指針に関する。
【背景技術】
【０００２】
従来、発光指針の技術がある。特許文献１には、光源からの光を受光する受光部を有する回転基部と、受光部からの光によって光輝する長手状の指示部とを有する透光部材と、回転基部の周囲を覆う第１のカバー部と、指示部の前面を視認可能とする透視窓を有し指示部を覆う第２のカバー部と、を有するカバー部材と、を備えた発光指針が開示されている。特許文献１のカバー部材は、第１のカバー部と第２のカバー部とが連結する箇所に、回転基部から指示部方向へ進む光のうち、指示部の背面側へ漏れる光を遮るための遮光部を有している。
【先行技術文献】
【特許文献】
【０００３】
【特許文献１】特開２０１７−０４９１７６号公報
【発明の概要】
【発明が解決しようとする課題】
【０００４】
指針の背面側に文字板が配置されている場合、文字板への光漏れを抑制できることが望ましい。文字板への光漏れを抑制することができれば、指針の視認性を向上させたり、指針の意匠性を向上させたりすることができる。
【０００５】
本発明の目的は、文字板への光漏れを抑制することができる車両表示装置用指針を提供することである。
【課題を解決するための手段】
【０００６】
本発明の車両表示装置用指針は、貫通孔を有する文字板に対して前記文字板の前面側に配置されており、前記文字板に沿って延在する指針本体と、前記貫通孔に向けて突出した軸部と、前記指針本体と前記軸部とをつなぐ導光部と、を有する透光性の指針と、前記指針本体の基端部および前記導光部を前面側および側方から覆う遮光性の第一遮蔽部材と、前記指針本体の基端部および前記導光部を背面側から覆い、前記第一遮蔽部材と係合する遮光性の第二遮蔽部材と、を備え、前記指針本体は、前記文字板の背面側に配置された光源から照射されて前記軸部に入射した光によって発光し、前記第二遮蔽部材は、前記軸部の軸方向に沿って前面側に向けて突出しており、かつ前記第一遮蔽部材と前記指針本体の側面との隙間を塞ぐ突起部を有することを特徴とする。
【発明の効果】
【０００７】
本発明に係る車両表示装置用指針は、貫通孔を有する文字板に対して文字板の前面側に配置されており、文字板に沿って延在する指針本体と、貫通孔に向けて突出した軸部と、指針本体と軸部とをつなぐ導光部と、を有する透光性の指針と、指針本体の基端部および導光部を前面側および側方から覆う遮光性の第一遮蔽部材と、指針本体の基端部および導光部を背面側から覆い、第一遮蔽部材と係合する遮光性の第二遮蔽部材と、を備える。指針本体は、文字板の背面側に配置された光源から照射されて軸部に入射した光によって発光する。第二遮蔽部材は、軸部の軸方向に沿って前面側に向けて突出しており、かつ第一遮蔽部材と指針本体の側面との隙間を塞ぐ突起部を有する。
【０００８】
突起部は、指針本体の側面と第一遮光部材との隙間のうち、文字板に近い領域を少なくとも塞ぐことができる。よって、本発明に係る車両表示装置用指針によれば、文字板への光漏れを抑制することができるという効果を奏する。
【図面の簡単な説明】
【０００９】
【図１】図１は、実施形態に係る車両表示装置の概略構成を示す図である。
【図２】図２は、実施形態に係る車両表示装置用指針の平面図である。
【図３】図３は、実施形態に係る車両表示装置用指針の断面図である。
【図４】図４は、実施形態に係る車両表示装置用指針の斜視図である。
【図５】図５は、実施形態に係る車両表示装置用指針の分解斜視図である。
【図６】図６は、実施形態に係る指針の平面図である。
【図７】図７は、実施形態に係る指針の側面図である。
【図８】図８は、実施形態に係る指針本体の断面図である。
【図９】図９は、実施形態に係る第一遮蔽部材の斜視図である。
【図１０】図１０は、実施形態に係る第一遮蔽部材の正面図である。
【図１１】図１１は、実施形態に係る第一遮蔽部材の断面図である。
【図１２】図１２は、実施形態に係る車両表示装置用指針の拡大正面図である。
【図１３】図１３は、実施形態に係る車両表示装置用指針の断面図である。
【図１４】図１４は、実施形態に係る車両表示装置用指針の他の断面図である。
【図１５】図１５は、実施形態に係る第二遮蔽部材の正面図である。
【発明を実施するための形態】
【００１０】
以下に、本発明の実施形態に係る車両表示装置用指針につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１１】
［実施形態］
図１から図１５を参照して、実施形態について説明する。本実施形態は、車両表示装置用指針に関する。図１は、実施形態に係る車両表示装置の概略構成を示す図、図２は、実施形態に係る車両表示装置用指針の平面図、図３は、実施形態に係る車両表示装置用指針の断面図、図４は、実施形態に係る車両表示装置用指針の斜視図、図５は、実施形態に係る車両表示装置用指針の分解斜視図、図６は、実施形態に係る指針の平面図、図７は、実施形態に係る指針の側面図、図８は、実施形態に係る指針本体の断面図、図９は、実施形態に係る第一遮蔽部材の斜視図、図１０は、実施形態に係る第一遮蔽部材の正面図、図１１は、実施形態に係る第一遮蔽部材の断面図、図１２は、実施形態に係る車両表示装置用指針の拡大正面図、図１３は、実施形態に係る車両表示装置用指針の断面図、図１４は、実施形態に係る車両表示装置用指針の他の断面図、図１５は、実施形態に係る第二遮蔽部材の正面図である。
【００１２】
図３には、図２のIII−III断面が示されている。図８には、図２のVIII−VIII断面が示されている。図１３には、図２のXIII−XIII断面が示されている。図１１には、図１３と同じ断面位置における第一遮光部材の断面が示されている。図１４には、図１２のXIV−XIV断面が示されている。
【００１３】
本実施形態に係る車両表示装置用指針１は、図１等に示すように、車両表示装置１００において用いられる。車両表示装置１００は、自動車等の車両に搭載される表示装置である。車両表示装置１００は、例えば、車載メータである。車両表示装置１００は、例えば、車両のインストルメントパネルに配置される。
【００１４】
車両表示装置１００は、表示部１０１、筐体１０２、および文字板１０３を有する。筐体１０２は、インストルメントパネル等に対して固定される。本実施形態の表示部１０１は、第一表示部１０１Ａおよび第二表示部１０１Ｂを有する。第一表示部１０１Ａおよび第二表示部１０１Ｂは、車両表示装置１００の幅方向に沿って並べて配置されている。第一表示部１０１Ａおよび第二表示部１０１Ｂは、それぞれ文字板１０３および車両表示装置用指針１を有する。第一表示部１０１Ａおよび第二表示部１０１Ｂの形状は、例えば、円形である。本実施形態の第一表示部１０１Ａおよび第二表示部１０１Ｂは、車両の走行状態に関する情報を車両表示装置用指針１によって表示する。第一表示部１０１Ａは、例えば、車両の走行速度を車両表示装置用指針１によって表示する。第二表示部１０１Ｂは、例えば、車両に搭載された機関の回転速度を車両表示装置用指針１によって表示する。
【００１５】
図２から図５に示すように、本実施形態の車両表示装置用指針１は、指針３と、第一遮蔽部材４と、第二遮蔽部材５と、を有する。以下の説明において、指針３の軸方向Ｘに沿って一方へ向かう側を「前面側」と称し、他方へ向かう側を「背面側」と称する。前面側は、車両表示装置用指針１を視認する搭乗者の側であり、典型的には車両前後方向の後側である。背面側は、前面側とは反対の側であり、典型的には車両前後方向の前側である。なお、軸方向Ｘは、後述する軸部３２の中心軸線の方向である。
【００１６】
図３に示すように、文字板１０３は、貫通孔１０３ａを有する。本実施形態の文字板１０３は遮光性を有するように構成されている。文字板１０３は、例えば、前面側に暗色のインクによる遮光層を有する。本実施形態の文字板１０３では、少なくとも貫通孔１０３ａの周囲の領域が遮光性を有するように構成されている。文字板１０３は、全領域が遮光性を有するように構成されていてもよい。なお、文字板１０３において、指針３によって指し示される目盛りや文字の部分が透光性を有してもよい。
【００１７】
文字板１０３の背面側には、光源２が配置されている。光源２は、例えば、ＬＥＤ（Light  Emitting  Diode）等の発光素子である。本実施形態の光源２は、指針３を駆動するモータ６の内部に配置されている。モータ６は、文字板１０３の背面側に、貫通孔１０３ａと同軸上に配置されている。モータ６は、筐体６１、回転軸６２、および駆動機構を有する。本実施形態のモータ６は、ステッピングモータである。モータ６は、駆動機構により、回転軸６２を任意の回転位置に位置付けることができる。回転軸６２は、貫通孔１０３ａと同軸上に配置されている。回転軸６２は、筐体６１を軸方向Ｘに沿って貫通しており、回転軸６２の先端部が筐体６１から貫通孔１０３ａに向けて突出している。回転軸６２は、透光性を有する樹脂等によって形成されている。
【００１８】
光源２は、筐体６１の内方に配置されている。光源２は、回転軸６２に対して背面側に配置されている。光源２は、回転軸６２における基端側の端面６２ａと対向して配置されている。光源２は、回転軸６２の端面６２ａに向けて光を照射する。
【００１９】
指針３は、無色または有色の透光性を有する部材である。指針３は、透明な部材であってもよく、半透明の部材であってもよい。指針３は、例えば、透光性の合成樹脂等によって形成されている。指針３は、指針本体３１、軸部３２、および導光部３３を有する。指針本体３１、軸部３２、および導光部３３は、一体に形成されている。指針本体３１は、文字板１０３の前面側に配置されている。指針本体３１は、文字板１０３の盤面に沿って延在する板状の構成部である。本明細書では、指針本体３１の延在する方向を「延在方向Ｌ」と称する。また、軸方向Ｘに沿って見た場合に延在方向Ｌと直交する方向を「幅方向Ｗ」と称する。幅方向Ｗは、軸方向Ｘおよび延在方向Ｌと直交する方向である。
【００２０】
本実施形態の指針本体３１において、前面３１ａは、延在方向Ｌに沿って指針本体３１の先端３１ｃへ向かうに従って文字板１０３へ近づくように傾斜している。指針本体３１の背面３１ｂは、文字板１０３と略平行である。背面３１ｂは、延在方向Ｌに沿って先端３１ｃへ向かうに従って文字板１０３から遠ざかるように傾斜していてもよい。指針本体３１の高さＨ１は、指針本体３１の基端部３１ｄから先端３１ｃへ向かうに従って小さくなる。図２および図６に示すように、指針本体３１の前面３１ａの幅Ｗ１は、指針本体３１の基端部３１ｄから先端３１ｃへ向かうに従って小さくなる。
【００２１】
軸部３２は、貫通孔１０３ａに向けて突出している。軸部３２は、断面形状が円形の柱状の構成部である。図３に示すように、軸部３２の先端部には、孔部３２ａが形成されている。モータ６の回転軸６２は、孔部３２ａに嵌合している。従って、指針３は、回転軸６２と一体となって回転する。本実施形態の指針３では、軸部３２の先端が文字板１０３に対して背面側に突出している。つまり、軸部３２は、貫通孔１０３ａに挿通された状態で回転軸６２によって支持されている。本実施形態の軸部３２は、軸方向Ｘに沿って基端から先端へ向かうに従って外径が小さくなる先細形状に形成されている。
【００２２】
導光部３３は、軸部３２と指針本体３１とをつないでいる。導光部３３は、軸部３２から指針本体３１へ光を導く。光源２によって照射された光は、図３に矢印Ｙ１で示すように、モータ６の回転軸６２を通り、軸部３２に入射する。軸部３２に入射した光は、矢印Ｙ２で示すように、軸部３２の内部を通過し、導光部３３の反射面３３ａへ向けて進む。反射面３３ａは、入射する光を指針本体３１に向けて反射する。反射面３３ａによって反射された光は、矢印Ｙ３で示すように、指針本体３１の内部を延在方向Ｌに向けて進む。指針本体３１は、導光部３３によって指針本体３１に導かれた光によって発光する。つまり、指針３は、軸部３２に入射した光によって指針本体３１が発光する発光指針である。
【００２３】
図５等に示すように、導光部３３は、フランジ部３４を有する。フランジ部３４は、軸方向Ｘと直交する方向に向けて軸部３２から突出している。フランジ部３４の形状は、略矩形の平板形状である。フランジ部３４には、突出部３４ａが形成されている。突出部３４ａは、軸部３２に関して指針本体３１側とは反対側に配置されている。突出部３４ａは、前面側に向けて突出している。フランジ部３４には、孔部３４ｂ，３４ｃが形成されている。孔部３４ｂ，３４ｃは、フランジ部３４を軸方向Ｘに沿って貫通している。また、軸部３２には、孔部３２ｂが形成されている。孔部３２ｂは、前面側に向けて開口している。
【００２４】
第一遮蔽部材４は、指針３の一部を覆う遮光性のキャップ部材である。第一遮蔽部材４は、指針本体３１の基端部３１ｄおよび導光部３３を覆う。第一遮蔽部材４は、合成樹脂等によって形成されている。図２から図５よりわかるように、第一遮蔽部材４は、指針本体３１の基端部３１ｄ、および導光部３３を前面側および側方から覆う。本実施形態の第一遮蔽部材４は、基端部３１ｄおよび導光部３３を一体に覆う。
【００２５】
図５等に示すように、第一遮蔽部材４は、第一覆い部４１および第二覆い部４２を有する。第一覆い部４１および第二覆い部４２は、一体に形成されている。第一覆い部４１は、主として突出部３４ａおよび指針本体３１の基端部３１ｄを覆う部分である。第一覆い部４１は、側壁部４３ａ，４３ｂ，４３ｃ，４３ｄおよび頂壁部４４を有する。第一側壁部４３ａおよび第二側壁部４３ｂは、幅方向Ｗにおいて、基端部３１ｄおよび突出部３４ａを挟んで互いに対向している。
【００２６】
頂壁部４４は、軸方向Ｘにおいて基端部３１ｄおよび導光部３３と対向している。頂壁部４４は、第一側壁部４３ａと第二側壁部４３ｂとをつないでおり、側壁部４３ａ，４３ｂの間の空間を前面側から閉塞している。頂壁部４４は、第一側壁部４３ａの前面側端部と、第二側壁部４３ｂの前面側端部とを繋いでいる。つまり、側壁部４３ａ，４３ｂおよび頂壁部４４によって囲まれる空間の断面形状は、略矩形となる。
【００２７】
第三側壁部４３ｃおよび第四側壁部４３ｄは、延在方向Ｌにおいて互いに対向している。側壁部４３ｃ，４３ｄは、それぞれ第一側壁部４３ａと第二側壁部４３ｂとをつないでいる。第三側壁部４３ｃは、側壁部４３ａ，４３ｂにおける指針本体３１側の端部をつないでいる。第四側壁部４３ｄは、側壁部４３ａ，４３ｂにおける突出部３４ａ側の端部をつないでいる。
【００２８】
第三側壁部４３ｃは、開口４３ｅを有する。開口４３ｅは、第三側壁部４３ｃに形成された切り欠き部である。開口４３ｅの形状は、指針本体３１の断面形状に応じた形状である。指針本体３１は、開口４３ｅを介して第一遮蔽部材４の内部から外部へ突出する。本実施形態の第三側壁部４３ｃは、軸方向Ｘに対して傾斜している。第三側壁部４３ｃの傾斜方向は、軸方向Ｘに沿って背面側へ向かうに従って指針本体３１の先端３１ｃへ近づく方向である。つまり、第三側壁部４３ｃは、外側の面が前面側を向くようにわずかに傾斜している。
【００２９】
第二覆い部４２は、第一周壁部４５ａ、第二周壁部４５ｂ、第一頂壁部４６ａ、および第二頂壁部４６ｂを有する。第一周壁部４５ａおよび第一頂壁部４６ａは、第一側壁部４３ａとつながっている。第二周壁部４５ｂおよび第二頂壁部４６ｂは、第二側壁部４３ｂとつながっている。第一周壁部４５ａおよび第二周壁部４５ｂは、半円筒形状の構成部である。第一周壁部４５ａは、第一側壁部４３ａから幅方向Ｗに向けて突出している。第二周壁部４５ｂは、第二側壁部４３ｂから幅方向Ｗに向けて突出している。第一頂壁部４６ａは、第一側壁部４３ａから幅方向Ｗに向けて突出しており、第一周壁部４５ａによって囲まれる空間を前面側から閉塞している。第二頂壁部４６ｂは、第二側壁部４３ｂから幅方向Ｗに向けて突出しており、第二周壁部４５ｂによって囲まれる空間を前面側から閉塞している。
【００３０】
図９に示すように、第一遮蔽部材４は、軸部４７ａ，４７ｂ，４７ｃを有する。軸部４７ａは、第一頂壁部４６ａから背面側に向けて突出している。軸部４７ｂは、第二頂壁部４６ｂから背面側に向けて突出している。軸部４７ｃは、頂壁部４４から背面側に向けて突出している。軸部４７ｃは、指針３の孔部３２ｂに挿入される。軸部４７ａ，４７ｂは、指針３の孔部３４ｂ，３４ｃにそれぞれ挿入される。第一周壁部４５ａの内側面には、係合突起４５ｃが配置されている。第二周壁部４５ｂの内側面にも同様の係合突起４５ｃが配置されている。係合突起４５ｃは、第二遮蔽部材５を係止する。
【００３１】
図１０に示すように、開口４３ｅは、第一縁部４３ｆ、第二縁部４３ｇ、および第三縁部４３ｈを有する。第一縁部４３ｆ、第二縁部４３ｇ、および第三縁部４３ｈは、何れも直線状である。第一縁部４３ｆおよび第二縁部４３ｇは、軸方向Ｘに沿って延在しており、幅方向Ｗにおいて互いに対向している。第三縁部４３ｈは、開口４３ｅにおける前面側の境界であり、幅方向Ｗに沿って延在している。本実施形態の開口４３ｅでは、第一縁部４３ｆと第二縁部４３ｇとが実質的に平行である。ただし、開口４３ｅは、軸方向Ｘに沿って背面側へ向かうに従って第一縁部４３ｆと第二縁部４３ｇとの間隔Ｗ２が広がるテーパ形状に形成されていてもよい。
【００３２】
図１１に示すように、第一側壁部４３ａおよび第二側壁部４３ｂは、指針本体３１の第一側面３１ｅおよび第二側面３１ｆと対向する。第一側壁部４３ａの内側面は、第一側面３１ｅと対向する対向壁面４３ｊである。第二側壁部４３ｂの内側面は、第二側面３１ｆと対向する対向壁面４３ｋである。つまり、第一遮蔽部材４は、指針本体３１の側面３１ｅ，３１ｆと対向する壁面である一対の対向壁面４３ｊ，４３ｋを有する。対向壁面４３ｊ，４３ｋは、それぞれ軸方向Ｘに対して傾斜している。より詳しくは、対向壁面４３ｊ，４３ｋは、軸方向Ｘに沿って背面側へ向かうに従って一対の対向壁面４３ｊ，４３ｋの間隔Ｗ３が広がるように、軸方向Ｘに対して傾斜している。
【００３３】
対向壁面４３ｊ，４３ｋの傾斜は、例えば、第一遮蔽部材４を形成する際の金型からの抜き勾配として設けられる。対向壁面４３ｊ，４３ｋの傾斜は、第一遮蔽部材４の設計要件や、デザイン上の要請により設けられてもよい。対向壁面４３ｊ，４３ｋが傾斜していることにより、背面側の位置において側面３１ｅ，３１ｆと対向壁面４３ｊ，４３ｋとの間隔Ｗ４が広くなる。より詳しくは、間隔Ｗ４は、前面側から背面側へ向かうに従って広がっている。
【００３４】
また、本実施形態の指針本体３１の断面形状は、図８に示すように、軸方向Ｘに沿って背面側へ向かうに従って板厚ｔ１が薄くなるテーパ形状である。第一側面３１ｅおよび第二側面３１ｆは、それぞれ軸方向Ｘに対して傾斜した傾斜面となっている。第一側面３１ｅは、軸方向Ｘに沿って背面側へ向かうに従って第二側面３１ｆへ近づくように軸方向Ｘに対して傾斜している。第二側面３１ｆは、軸方向Ｘに沿って背面側へ向かうに従って第一側面３１ｅへ近づくように軸方向Ｘに対して傾斜している。
【００３５】
指針本体３１のテーパ形状は、例えば、指針３を形成する際の金型からの抜き勾配として設けられる。側面３１ｅ，３１ｆの傾斜は、デザイン上の要請等により設けられてもよい。指針本体３１のテーパ形状も原因となり、背面側の位置において側面３１ｅ，３１ｆと対向壁面４３ｊ，４３ｋとの間隔Ｗ４（図１１）が広くなっている。
【００３６】
第二遮蔽部材５は、指針本体３１の基端部３１ｄおよび導光部３３を背面側から覆う遮光性の部材である。第二遮蔽部材５は、例えば、合成樹脂等によって形成される。本実施形態の第二遮蔽部材５は、図５等に示すように、突起部５６，５７を有する。以下に説明するように、突起部５６，５７は、第一遮蔽部材４と指針本体３１の側面３１ｅ，３１ｆとの隙間を塞ぐ。よって、本実施形態の車両表示装置用指針１は、文字板１０３へ向けての光漏れを抑制することができる。
【００３７】
図５等に示すように、第二遮蔽部材５は、本体５１、係合部５２、第一片部５３、第二片部５４、第一突起部５６、および第二突起部５７を有する。本体５１、係合部５２、第一片部５３、第二片部５４、第一突起部５６、および第二突起部５７は、一体に形成されている。本体５１は、円環形状の構成部である。本体５１は、指針３の軸部３２が挿通される貫通孔５１ａを有する。係合部５２は、本体５１における幅方向Ｗの両端部に一つずつ配置されている。係合部５２は、第一遮蔽部材４の係合突起４５ｃと係合する。
【００３８】
第一片部５３および第二片部５４は、本体５１から延在方向Ｌに沿って突出している。第一片部５３および第二片部５４は、矩形の板状の構成部である。第一片部５３は、延在方向Ｌに沿って指針本体３１側に向けて突出している。第一片部５３は、導光部３３の背面および指針本体３１の背面を覆う。第二片部５４は、延在方向Ｌに沿って突出部３４ａ側に向けて突出している。第二片部５４は、導光部３３の背面を覆う。
【００３９】
第一突起部５６および第二突起部５７は、本体５１から軸方向Ｘに沿って前面側に向けて突出している。二つの突起部５６，５７は、本体５１における指針本体３１側の端部に配置されている。より詳しくは、二つの第一突起部５６，５７は、第一片部５３の基端部に隣接して配置されている。二つの突起部５６，５７は、第二方向Ｗにおいて互いに対向している。
【００４０】
図１２から図１４に示すように、第一突起部５６は、指針本体３１の第一側面３１ｅと第一遮蔽部材４との隙間Ｇ１を塞いでいる。第二突起部５７は、指針本体３１の第二側面３１ｆと第一遮蔽部材４との隙間Ｇ２を塞いでいる。
【００４１】
図１３および図１４に示すように、第一側面３１ｅと第一遮蔽部材４の対向壁面４３ｊとの間には、隙間Ｇ１が存在する。第一突起部５６は、隙間Ｇ１を塞いでおり、第一遮蔽部材４の内部から外部への光漏れを抑制する。また、第二突起部５７は、第二側面３１ｆと対向壁面４３ｋとの隙間Ｇ２を塞いでおり、第一遮蔽部材４の内部から外部への光漏れを抑制する。第一遮蔽部材４から外部の光漏れのうち、特に、文字板１０３へ向かう光漏れ、すなわち背面側へ向けての光漏れを抑制できることが望ましい。本実施形態の第一突起部５６および第二突起部５７は、以下に説明するように、文字板１０３への光漏れを好適に抑制することができる。
【００４２】
第一突起部５６および第二突起部５７は、第二遮蔽部材５の本体５１から前面側へ向けて突出している。従って、隙間Ｇ１，Ｇ２のうち、背面側の領域Ｇｂ（図１３参照）を重点的に塞ぐことができる。よって、本実施形態の突起部５６，５７は、第一遮蔽部材４の内部から文字板１０３へ向けて進もうとする光を遮り、文字板１０３への光漏れを十分に抑制することができる。
【００４３】
また、本実施形態の突起部５６，５７は、指針本体３１との隙間が発生しにくいように構成されている。図１３に示すように、突起部５６，５７は、指針本体３１の側面３１ｅ，３１ｆと対向する対向面５６ａ，５７ａを有する。本実施形態の対向面５６ａ，５７ａは、平面である。対向面５６ａ，５７ａは、それぞれ軸方向Ｘに対して傾斜している。
【００４４】
第一突起部５６の対向面５６ａは、第一側面３１ｅの傾斜方向と同じ側に向けて軸方向Ｘに対して傾斜している。すなわち、対向面５６ａは、軸方向Ｘに沿って背面側へ向かうに従って指針本体３１の中心線Ｃ１へ近づくように傾斜している。なお、中心線Ｃ１は、幅方向Ｗにおける指針本体３１の中心である。対向面５６ａが第一側面３１ｅと同じ側に向けて傾斜していることで、対向面５６ａと第一側面３１ｅとの隙間が低減される。よって、第一突起部５６は、文字板１０３への光漏れを十分に抑制することができる。本実施形態の対向面５６ａは、第一側面３１ｅと実質的に平行となるように構成されている。これにより、対向面５６ａと第一側面３１ｅとの隙間が最小化される。
【００４５】
また、第一突起部５６は、延在方向Ｌから見た場合に第一突起部５６と対向壁面４３ｊとの間に隙間が生じないように構成されている。図１４に示すように、第一突起部５６は、第一側壁部４３ａと第一周壁部４５ａとが交差する角部４８ａの近傍に配置されている。より詳しくは、第一突起部５６は、延在方向Ｌにおいて角部４８ａと対向するように配置されている。第一突起部５６は、角部４８ａに対して導光部３３寄りの位置に、かつ角部４８ａに近接して配置されている。これにより、図１３に示すように、延在方向から見た場合に対向壁面４３ｊと第一突起部５６とが重なる。言い換えると、延在方向Ｌから見た場合に、対向壁面４３ｊと第一突起部５６との間に隙間が存在しない。従って、第一突起部５６は、第一遮蔽部材４の内部から文字板１０３への光漏れを十分に抑制することができる。
【００４６】
また、図１５に示すように、第一突起部５６の外側面５６ｂは、軸方向Ｘに対して傾斜している。外側面５６ｂは、第一突起部５６において、対向面５６ａとは反対側の面である。言い換えると、外側面５６ｂは、第一突起部５６において、指針本体３１の第一側面３１ｅと対向する側とは反対側の面である。外側面５６ｂは、対向壁面４３ｊの傾斜方向と同じ側に向けて軸方向Ｘに対して傾斜している。つまり、外側面５６ｂは、軸方向Ｘに沿って背面側へ向かうに従って、幅方向Ｗにおいて指針本体３１の中心線Ｃ１から遠ざかるように傾斜している。外側面５６ｂが対向壁面４３ｊと同じ側に向けて傾斜していることで、延在方向Ｌから見た場合に第一突起部５６と対向壁面４３ｊとの間に隙間が発生しにくい。また、外側面５６ｂが傾斜していることで、第一突起部５６と第一周壁部４５ａの内側面４５ｄとの干渉が抑制される。外側面５６ｂの傾斜角度は、例えば、対向壁面４３ｊに対して外側面５６ｂが平行となるように定められてもよい。
【００４７】
第二突起部５７は、第一突起部５６と同様に構成されている。図１３に示すように、第二突起部５７の対向面５７ａは、第二側面３１ｆと幅方向Ｗにおいて対向している。対向面５７ａは、第二側面３１ｆの傾斜方向と同じ側に向けて軸方向Ｘに対して傾斜している。よって、対向面５７ａと第二側面３１ｆとの隙間が低減される。対向面５７ａは、第二側面３１ｆと実質的に平行となるように構成されている。
【００４８】
図１４に示すように、第二突起部５７は、第二側壁部４３ｂと第二周壁部４５ｂとが交差する角部４８ｂの近傍に配置されている。第二突起部５７は、延在方向Ｌにおいて角部４８ｂと対向するように配置されている。第二突起部５７は、角部４８ｂに対して導光部３３寄りの位置に、かつ角部４８ｂに近接して配置されている。これにより、図１３に示すように、延在方向Ｌから見た場合に対向壁面４３ｋと第二突起部５７とが重なる。従って、第二突起部５７は、第一遮蔽部材４の内部から文字板１０３への光漏れを十分に抑制することができる。
【００４９】
また、図１５に示すように、第二突起部５７の外側面５７ｂは、対向壁面４３ｋの傾斜方向と同じ側に向けて軸方向Ｘに対して傾斜している。よって、延在方向Ｌから見た場合に第二突起部５７と対向壁面４３ｋとの間に隙間が発生しにくい。また、外側面５７ｂが傾斜していることで、第二突起部５７と第二周壁部４５ｂの内側面４５ｅとの干渉が抑制される。外側面５７ｂの傾斜角度は、例えば、対向壁面４３ｋに対して外側面５７ｂが平行となるように定められてもよい。
【００５０】
以上説明したように、本実施形態の車両表示装置用指針１は、指針３と、第一遮蔽部材４と、第二遮蔽部材５と、を有する。指針３は、透光性の部材であり、指針本体３１、軸部３２、および導光部３３を有する。指針本体３１は、貫通孔１０３ａを有する文字板１０３に対して文字板１０３の前面側に配置されており、文字板１０３に沿って延在している。軸部３２は、貫通孔１０３ａに向けて突出している。導光部３３は、指針本体３１と軸部３２とをつないでいる。指針本体３１は、文字板１０３の背面側に配置された光源２から照射されて軸部３２に入射した光によって発光する。
【００５１】
第一遮蔽部材４は、指針本体３１の基端部３１ｄおよび導光部３３を前面側および側方から覆う遮光性の部材である。第二遮蔽部材５は、指針本体３１の基端部３１ｄおよび導光部３３を背面側から覆う遮光性の部材であり、第一遮蔽部材４と係合する。第二遮蔽部材５は、軸部３２の軸方向Ｘに沿って前面側に向けて突出している突起部５６，５７を有する。突起部５６，５７は、第一遮蔽部材４と指針本体３１の側面３１ｅ，３１ｆとの隙間Ｇ１，Ｇ２を塞ぐ。本実施形態の車両表示装置用指針１は、前面側に向けて突出している突起部５６，５７によって隙間Ｇ１，Ｇ２を塞ぐ。突起部５６，５７は、文字板１０３へ向けての光漏れを十分に抑制することができる。また、突起部５６，５７は、第一遮蔽部材４および指針３に対して第二遮蔽部材５を組み付ける際のガイドとして機能する。
【００５２】
本実施形態の車両表示装置用指針１において、指針本体３１の延在方向Ｌと直交する断面における指針本体３１の断面形状は、軸方向Ｘに沿って背面側へ向かうに従って板厚ｔ１が薄くなるテーパ形状である。こうしたテーパ形状の指針本体３１を用いる場合、背面側において指針本体３１の側面３１ｅ，３１ｆと第一遮蔽部材４との隙間Ｇ１，Ｇ２が広くなりやすい。こうしたテーパ形状の指針本体３１を用いる場合に、第二遮蔽部材５が突起部５６，５７を有することで、文字板１０３への光漏れが好適に抑制される。
【００５３】
本実施形態の車両表示装置用指針１において、指針本体３１の側面３１ｅ，３１ｆは、軸方向Ｘに対して傾斜した傾斜面である。突起部５６，５７は、指針本体３１の側面３１ｅ，３１ｆと対向する対向面５６ａ，５７ａを有する。対向面５６ａ，５７ａは、指針本体３１の側面３１ｅ，３１ｆの傾斜方向と同じ側に向けて軸方向Ｘに対して傾斜している。対向面５６ａ，５７ａが側面３１ｅ，３１ｆと同じ側に向けて傾斜していることで、対向面５６ａ，５７ａと側面３１ｅ，３１ｆとの隙間が広くなりにくい。よって、突起部５６，５７は、文字板１０３へ向けての光漏れを好適に抑制することができる。
【００５４】
本実施形態の車両表示装置用指針１において、第一遮蔽部材４は、指針本体３１の側面３１ｅ，３１ｆと対向する壁面である一対の対向壁面４３ｊ，４３ｋを有する。対向壁面４３ｊ，４３ｋは、軸方向Ｘに沿って背面側へ向かうに従って一対の対向壁面４３ｊ，４３ｋの間隔Ｗ３が広がるように軸方向Ｘに対して傾斜している。突起部５６，５７は、対向壁面４３ｊ，４３ｋと指針本体３１の側面３１ｅ，３１ｆとの隙間Ｇ１，Ｇ２を塞ぐ。対向壁面４３ｊ，４３ｋが上記のように傾斜している場合、対向壁面４３ｊ，４３ｋと側面３１ｅ，３１ｆとの隙間Ｇ１，Ｇ２が広くなりやすい。本実施形態の車両表示装置用指針１は、隙間Ｇ１，Ｇ２を介した文字板１０３への光漏れを突起部５６，５７によって好適に抑制することができる。
【００５５】
本実施形態の車両表示装置用指針１の突起部５６，５７において、外側面５６ｂ，５７ｂは、対向壁面４３ｊ，４３ｋの傾斜方向と同じ側に向けて軸方向Ｘに対して傾斜している。外側面５６ｂ，５７ｂは、突起部５６，５７における指針本体３１の側面３１ｅ，３１ｆと対向する側とは反対側の面である。外側面５６ｂ，５７ｂが対向壁面４３ｊ，４３ｋと同じ側に向けて傾斜していることで、突起部５６，５７が適切に隙間Ｇ１，Ｇ２を塞ぐことができる。
【００５６】
［実施形態の変形例］
指針３の形状は、上記実施形態において例示した形状には限定されない。例えば、指針本体３１の断面形状は、第一側面３１ｅと第二側面３１ｆとが平行な形状であってもよい。指針本体３１の背面３１ｂには、遮光層が設けられてもよい。例えば、ホットスタンプ等によって背面３１ｂに遮光層が形成されてもよい。指針本体３１の背面３１ｂには、ホットスタンプ等によって有色層が設けられていてもよい。
【００５７】
第一遮蔽部材４の形状は、上記実施形態において例示した形状には限定されない。例えば、第一遮蔽部材４は、第二覆い部４２を有していなくてもよい。この場合、第一遮蔽部材４は、例えば、側壁部４３ａ，４３ｂ，４３ｃ，４３ｄによって指針本体３１の基端部３１ｄおよび導光部３３を一体に覆う。すなわち、第一遮光部材４は、全体形状が略直方体形状とされてもよい。
【００５８】
突起部５６，５７の形状や配置は、上記実施形態において例示した形状や配置には限定されない。例えば、突起部５６，５７の形状は、指針本体３１の側面３１ｅ，３１ｆの形状や対向壁面４３ｊ，４３ｋの形状に応じて適宜決定される。突起部５６，５７は、指針本体３１の側面３１ｅ，３１ｆと対向壁面４３ｊ，４３ｋとの間に配置されてもよい。言い換えると、突起部５６，５７は、第二方向Ｗにおいて指針本体３１の側面３１ｅ，３１ｆおよび対向壁面４３ｊ，４３ｋの両方と対向する位置に配置されてもよい。
【００５９】
上記の実施形態および変形例に開示された内容は、適宜組み合わせて実行することができる。
【符号の説明】
【００６０】
１  車両表示装置用指針
２  光源
３  指針
４  第一遮蔽部材
５  第二遮蔽部材
６  モータ
３１  指針本体
３１ａ：前面、  ３１ｂ：背面、  ３１ｃ：先端、  ３１ｄ：基端部、  ３１ｅ：第一側面、  ３１ｆ：第二側面
３２  軸部
３２ａ，３２ｂ  孔部
３３  導光部
３３ａ  反射面
３４  フランジ部
３４ａ  突出部
４３ａ：第一側壁部、  ４３ｂ：第二側壁部、  ４３ｃ：第三側壁部、  ４３ｄ：第四側壁部、  ４３ｅ：開口、  ４３ｆ：第一縁部、  ４３ｇ：第二縁部、  ４３ｈ：第三縁部、  ４３ｊ，４３ｋ：対向壁面
４４  頂壁部
４５ａ：第一周壁部、  ４５ｂ：第二周壁部、  ４５ｃ：係合突起、  ４５ｄ，４５ｅ：内側面
４６ａ：第一頂壁部、  ４６ｂ：第二頂壁部
５１  本体
５２  係合部
５３  第一片部
５４  第二片部
５６  第一突起部
５７  第二突起部
５６ａ，５７ａ  対向面
５６ｂ，５７ｂ  外側面
１００  車両表示装置
１０２  筐体
１０３  文字板
Ｇ１，Ｇ２  隙間
Ｘ  軸方向
Ｌ  延在方向
Ｗ  幅方向
Ｗ１  指針本体の幅
Ｗ２，Ｗ３，Ｗ４  間隔
【図１】
2020012728.tif 000003
【図２】
2020012728.tif 000004
【図３】
2020012728.tif 000005
【図４】
2020012728.tif 000006
【図５】
2020012728.tif 000007
【図６】
2020012728.tif 000008
【図７】
2020012728.tif 000009
【図８】
2020012728.tif 000010
【図９】
2020012728.tif 000011
【図１０】
2020012728.tif 000012
【図１１】
2020012728.tif 000013
【図１２】
2020012728.tif 000014
【図１３】
2020012728.tif 000015
【図１４】
2020012728.tif 000016
【図１５】
2020012728.tif 000017